(57)【要約】【課題】  壁式構造とラーメン構造とを有効に活用したコンクリート構造物を提供する。【解決手段】  上層階を壁式構造部６０で形成し、下層階をラーメン構造部７０で形成する。また、上層階の壁式構造部６０と下層階のラーメン構造部７０との間の接続部は、梁部２０と床部１０とからなる逆梁構造で形成する。それにより、耐震性を高め、下層階は駐車スペースまたは店舗に使用するための大きなスパンを確保することができるとともに、上層階は住居として使用する場合に望まれる大きな空間を確保することができる。【選択図】        図２
2005281998.tif 000002
【特許請求の範囲】
【請求項１】
地盤の上にコンクリートを用いて形成された下層階のラーメン構造部と、
前記ラーメン構造部の上にコンクリートを用いて形成された上層階の壁式構造部とを備えた、コンクリート構造物。
【請求項２】
前記ラーメン構造部と前記壁式構造部との接続部に逆梁構造が用いられた、請求項１に記載のコンクリート構造物。
【請求項３】
前記逆梁構造の梁部の上端面に架けられた板状部材をさらに備え
前記板状部材と前記逆梁構造の床部と間に空間が設けられ、
前記板状部材に前記空間を収納スペースとして使用するための扉構造が形成された、請求項２に記載のコンクリート構造物。
【請求項４】
請求項１〜請求項３のいずれかに記載のコンクリート構造物の前記下層階を店舗または駐車場として使用し、
請求項１〜３のいずれかに記載のコンクリート構造物の前記上層階を住居として使用する、コンクリート構造物の使用方法。
【発明の詳細な説明】
【技術分野】
【０００１】
本発明は、建築構造物に関し、特に、躯体がコンクリートによって形成されたコンクリート構造物に関するものである。
【背景技術】
【０００２】
従来より、建築構造物として、躯体がコンクリートを用いて形成されたコンクリート構造物が存在する。このようなコンクリート構造物においては、躯体の構造形式として、ラーメン構造形式と壁式構造形式とがある。ラーメン構造とは、躯体が柱とその柱に接続された梁とにより形成される枠組構造からなる構造である。また、壁式構造とは、躯体が窓等の開口部以外の壁によって形成され、構造荷重を壁によって支持する構造である。
【０００３】
前述のラーメン構造のコンクリート構造物においては、躯体が柱と梁とからなる枠組によって形成されているため、柱と柱すなわち躯体同士の間の空間を広く形成することができる。そのため、ラーメン構造は、建築物の下層階において、柱同士の間のスパンが大きな駐車場や店舗に使用されることが多い。一方、壁式構造は、柱および梁の出っ張りがないため、無駄なく、大きな空間を形成することが可能であるため、住宅の構造に適している。
【特許文献１】特開平５−０７９２１８号公報
【特許文献２】特開２００１−０３２３６６号公報
【発明の開示】
【発明が解決しようとする課題】
【０００４】
上記のラーメン構造においては、住宅のような小さな建築物を建設する場合には、柱および梁の角部が室内に突出して設けられるため、居住空間を狭めてしまうという短所がある。さらに、ラーメン構造においては、壁式構造と比較した場合に、型枠の構造が複雑であるため、型枠材料および型枠を設置するための手間が多くなり、構造物の施工コストが高くなるという問題がある。したがって、ラーメン構造のみを用いて駐車場や店舗と住宅部分とを併せ持つ併用型住宅を建設する場合には住宅部分の設計において支障が生じる。
【０００５】
一方、壁式構造は、スパンを大きくすることができないため、スパンを大きくする必要がある店舗や駐車場を有する建築物の構造としては不向きである。
【０００６】
本発明は、上述のような問題に鑑みなされたものであり、その目的は、ラーメン構造と壁式構造とを組合せることにより、互いの長所を有効に利用したコンクリート構造物およびその使用方法を提供することである。
【課題を解決するための手段】
【０００７】
本発明のコンクリート構造物は、地盤の上にコンクリートを用いて形成された下層階のラーメン構造部と、ラーメン構造部の上にコンクリートを用いて形成された上層階の壁式構造部とを備えている。この構造によれば、下層階を広いスパンを必要とする用途に使用し、上層階を大きな内部空間を必要とする用途に使用することができる。
【０００８】
また、ラーメン構造部と壁式構造部との接続部に逆梁構造が用いられていることが望ましい。これによれば、逆梁構造は順梁構造に比較して床部の重心を低くすることができるため、水平力がコンクリート構造物にかかったときに、コンクリート構造物に生じる転倒モーメントを低減することができる。その結果、コンクリート構造物の耐震性が向上する。
【０００９】
また、コンクリート構造物は、逆梁構造の梁部の上端面に架けられた板状部材をさらに備え、板状部材と逆梁構造の床部と間に空間が設けられ、板状部材に空間を収納スペースとして使用するための扉構造が形成されていることが望ましい。上層階と下層階との接続部の逆梁構造と板状部材とによって形成される空間を収納スペースとして有効に利用することができる。
【００１０】
また、前述の下層階を店舗または駐車場として使用し、前述の上層階を住居として使用することが望ましい。これによれば、前述のコンクリート構造物の特徴を有効に利用することができる。
【発明を実施するための最良の形態】
【００１１】
本発明の実施の形態のコンクリート構造物を図１および図２を用いて説明する。
【００１２】
図１に示すように、コンクリート構造物１は、地盤５００の上に設けられた下層のラーメン構造部７０と、ラーメン構造部７０の上に設けられた上層の壁式構造部６０とを備えている。壁式構造部６０とラーメン構造部７０との間は、図２（ａ）に示すように、梁部２０と床部１０とによって接続されている。梁部２０と床部１０との関係は、梁部２０の下側に床部１０が接続された、いわゆる逆梁構造となっている。
【００１３】
従来のコンクリート構造物１００は、図２の（ｂ）に示すように、地盤５００の上のすべての階がラーメン構造で形成されている。したがって、ラーメン構造の梁部１２０と床部１１０との関係は、梁部１２０の上側に床部１１０が接続された通常の順梁構造となっている。
【００１４】
また、図２の（ａ）に示す本実施の形態のコンクリート構造物１は、図２の（ｂ）に示す従来のコンクリート構造物１００に比較して、床部１０の重心位置ＧHが従来のコンクリート構造物１００の床部１１０の重心ＧJに比較して低い位置に存在する。したがって、本実施の形態のコンクリート構造物１は、従来のコンクリート構造物１００に対して転倒モーメントに対する対抗力が強くなっている。すなわち、地震が生じたときに、コンクリート構造物に水平方向に荷重がかかるが、この荷重に対してコンクリート構造物が転倒しにくくなっている。
【００１５】
また、本実施の形態のコンクリート構造物１によれば、ラーメン構造部７０は、下層階のみであり、上層階は壁式構造部６０によって構成されているため、上層階を形成するための型枠を簡略化することができるとともに、型枠を組むための手間が少なくてすむ。したがって、本実施の形態のコンクリート構造物１は、従来のコンクリート構造物１００に比較して、構造物全体の躯体の施工コストを低減することが可能となっている。
【００１６】
また、順梁構造と逆梁構造とを比較した場合には、逆梁構造は、ラーメン構造における地中梁と同様の構造形式であるため、壁式構造とラーメン構造との接続部が一体性を持つ連続的な構造となり、接続部はより強固なものとなっている。
【００１７】
一般に、住宅地が密集した都市部においては、３階建および４階建といった高層住宅が多く望まれている。その１階部分は、土地を有効的に活用するために駐車場スペースにすることが多い。また、商業地域では、１階および２階等の下層階を店舗にし、上層階は居住スペースにして、店舗付き住宅を建設する場合が多くみられる。
【００１８】
従来、上述のような住宅をコンクリート構造で建設するときには、駐車スペースや店舗等に必要な大きなスパンを確保するために、必然的にラーメン構造が採用されることが多かった。しかしながら、ラーメン構造は、前述のように、柱型および梁型が居住空間内に突出するため、居住空間を狭くしてしまうという問題が生じる。
【００１９】
本実施の形態のコンクリート構造物１によれば、下層部をラーメン構造で形成し、上層部を壁式構造で形成し、さらに、ラーメン構造と壁式構造の接続部において、逆梁構造を採用した異種構造体であるため、次のような効果がある。
【００２０】
本実施の形態によれば、下層階は、大きなスパンを確保することができるため、駐車スペースまたは店舗に適しており、上層階は、空間を広くできるため、居住スペースに適している。また、異なる種類の構造体を逆梁構造を利用して、合理的かつ立体的にスムーズに接続させることで、耐震性が高く、かつ安全なコンクリート構造物となっている。さらに、従来のラーメン構造においては、その形状が複雑であるため、加工材料および施工手間のコストが高くなるが、本実施の形態のコンクリート構造物によれば、それらを低減することが可能となる。
【００２１】
また、図２（ａ）に示すように、梁部２０の上に板状部材８０を設ければ、板状部材８０と床部１０との間の空間９０を床下スペースとして使用することが可能となる。この場合、板状部材８０に開閉扉のような構造を設けることによって、空間９０内の収納物の取り出し、および空間９０内への収納物の収納が可能になる。
【００２２】
なお、本実施の形態においては、コンクリート構造物１内に鉄筋が図示されていないが、鉄筋によってコンクリート構造物が補強された鉄筋コンクリート構造も、無筋コンクリート構造と同様に、本発明のコンクリート構造物に含まれる。また、本実施の形態においては、場所打ちコンクリート構造物を例にして説明がなされているが、プレキャストコンクリート構造物であっても、本発明のコンクリート構造物に含まれる。
【００２３】
なお、今回開示された実施の形態はすべての点で例示であって、制限的なものではないと考えられるべきである。本発明の範囲は上記した説明ではなく特許請求の範囲によって示され、特許請求の範囲と均等の意味および範囲内のすべての変更が含まれることが意図される。
【図面の簡単な説明】
【００２４】
【図１】実施の形態のコンクリート構造部の斜視図である。
【図２】実施の形態のコンクリート構造物および従来のコンクリート構造物の断面構造を示す図である。
【符号の説明】
【００２５】
１  コンクリート構造物、１０  床部、２０  梁部、６０  壁式構造部、７０  ラーメン構造部、８０  板状部材、９０  空間、５００  地盤。
【図１】
2005281998.tif 000003
【図２】
2005281998.tif 000004